(57)【要約】  【課題】配線類の露出により、配線が足に引っ掛かる、来客会議室等の空間が乱雑なもになる、等といった問題を解消することができるテーブルを提供する。  【解決手段】天板本体５の下面側に配線ダクト６を配した天板１と、内部に機器類収納空間２ｓを有し前記天板１の一端側を支持するサイドユニット２とを具備してなるテーブルＴにおいて、前記配線ダクト６の一端６ａを前記サイドユニット２の外壁２１に係り合わせる構成を採用する。【選択図】図２
2019068951.tif 000002
【特許請求の範囲】
【請求項１】
天板本体の下面側に配線ダクトを配した天板と、内部に機器類収納空間を有し前記天板の一端側を支持するサイドユニットとを具備してなるテーブルであって、
前記配線ダクトが、一端を前記サイドユニットの外壁に係り合わせたものであるテーブル。
【請求項２】
前記サイドユニットが、内部に前記機器類収納空間に連通する共有空間を備えたものであり、
前記共有空間を、前記サイドユニットの外壁に設けた上部配線挿通口を介して前記配線ダクトの内部空間に連通させている請求項１記載のテーブル。
【請求項３】
前記サイドユニットが、内部に前記機器類収納空間に連通する共有空間を備えたものであり、
前記共有空間を、前記サイドユニットの底壁に設けた下部配線挿通口を介して外部空間に連通させている請求項１又は２記載のテーブル。
【請求項４】
前記天板が、前記天板本体と、この天板本体の下面における奥行方向中央部分に装着された前記配線ダクトと、この配線ダクトが取り付けられた前記天板本体を下面側から支持する支持フレームとを備えたものであり、
前記支持フレームの一端側を前記サイドユニットに支持させている請求項１、２又は３記載のテーブル。
【請求項５】
天板本体の下面側に配線ダクトを配してなりその天板本体の一端から他端に至る中間の部位に前記配線ダクトの内部空間に連通する配線導出入部を設けた天板と、内部に機器類収納空間を有し前記天板の一端側を支持するサイドユニットとを具備してなるテーブルであって、
前記配線ダクトが、一端を前記サイドユニットの外壁に係り合わせたものであるとともに、そのサイドユニットが、内部に前記機器類収納空間に連通する共有空間を備えたものであり、
前記共有空間を、前記サイドユニットの外壁に設けた上部配線挿通口を介して前記配線ダクトの内部空間に連通させるとともに、前記サイドユニットの底壁に設けた下部配線挿通口を介して外部空間に連通させているテーブル。
【請求項６】
前記天板が、一方の使用端から他方の使用端に至る奥行方向の中央部分に前記配線導出入部を開設した天板本体と、この天板本体の下面における奥行方向中央部分に装着された前記配線ダクトと、この配線ダクトが取り付けられた前記天板本体を下面側から支持する支持フレームとを備えたものであり、
前記支持フレームの一端側を前記サイドユニットに支持させた状態で、前記配線ダクトの一端を前記サイドユニットの前記上部配線挿通口に直接接続している請求項５記載のテーブル。
【請求項７】
前記サイドユニットが、前記配線ダクトに対応する中央部分に前記共有空間を有し、この共有空間に前記機器類収納空間を隣設したものであり、前記機器類収納空間は中間配線挿通口を介して前記共有空間に連通させてある請求項５又は６記載のテーブル。
【発明の詳細な説明】
【技術分野】
【０００１】
本発明は、会議室等に設置するのに好適なテーブルに関する。
【背景技術】
【０００２】
会議室等に設置して使用されるテーブルとして、天板と、この天板の少なくとも両端部を支持する脚体とを備えたものが知られている（例えば、特許文献１を参照）。この種のテーブルは、プレゼンテーションやテレビ会議などの行うためのディスプレイや、このディスプレイに映像を表示させるための各種機器類を収めるためのサイドボード等とともに用いられることが多い。その場合、テーブルの一端側に空間を空けてサイドボードを配置し、そのサイドボードの上、或いはこのサイドボードに近接する壁面等にディスプレイが設置されることが少なくない。
【０００３】
ところが、このような使用態様を採用する場合、前記テーブル上で使用されるパーソナルコンピュータやリモートコントローラ或いはＴＶ会議用マイクロフォン等と、前記サイドボード内の機器類と、前記ディスプレイとを相互に結ぶ配線類等が外部に露出し易いという問題があり、何らかの対策が望まれている。すなわち、テーブルの下面には配線類を集約して案内するための配線ダクトが設けられていることが少なくないが、この配線ダクトと前記サイドボードとは離間しているため、配線ダクトとサイドボードとの間の配線類がテーブルの下に露出することになり、配線が足に引っ掛かるという問題や、このようなテーブル及びサイドボードを配置した来客会議室等の空間が乱雑なものになるといった問題が存在する。
【先行技術文献】
【特許文献】
【０００４】
【特許文献１】特許第６０６５６１５号公報
【発明の概要】
【発明が解決しようとする課題】
【０００５】
本発明は以上の点に着目してなされたもので、配線類が露出することにより、配線が足に引っ掛かるという問題や、来客会議室等の空間が乱雑なものになるといった問題を解消することができるテーブルを提供することを目的とする。
【課題を解決するための手段】
【０００６】
請求項１記載の発明に係るテーブルは、天板本体の下面側に配線ダクトを配した天板と、内部に機器類収納空間を有し前記天板の一端側を支持するサイドユニットとを具備してなるテーブルであって、前記配線ダクトが、一端を前記サイドユニットの外壁に係り合わせたものである。
【０００７】
なお、「配線ダクトの一端をサイドユニットの外壁に係り合わせる」とは、必ずしも配線ダクトの一端を隙間なくサイドユニットの外壁に直接接続するものに限らず、本発明の趣旨を損ねないもの、すなわち配線ダクトとサイドユニットとの間の配線が外部から目立たないような配線ダクトとサイドユニットと接続態様又は配置全般を示す概念である。
【０００８】
請求項２記載の発明に係るテーブルは、請求項１記載の構成のものにおいて、前記サイドユニットが、内部に前記機器類収納空間に連通する共有空間を備えたものであり、前記共有空間を、前記サイドユニットの外壁に設けた上部配線挿通口を介して前記配線ダクトの内部空間に連通させている。
【０００９】
請求項３記載の発明に係るテーブルは、請求項１又は２記載の構成のものにおいて、前記サイドユニットが、内部に前記機器類収納空間に連通する共有空間を備えたものであり、前記共有空間を、前記サイドユニットの底壁に設けた下部配線挿通口を介して外部空間に連通させている。
【００１０】
請求項４記載の発明に係るテーブルは、請求項１、２又は３記載の構成のものにおいて、前記天板が、前記天板本体と、この天板本体の下面における奥行方向中央部分に装着された前記配線ダクトと、この配線ダクトが取り付けられた前記天板本体を下面側から支持する支持フレームとを備えたものであり、前記支持フレームの一端側を前記サイドユニットに支持させている。
【００１１】
請求項５記載の発明に係るテーブルは、天板本体の下面側に配線ダクトを配してなりその天板本体の一端から他端に至る中間の部位に前記配線ダクトの内部空間に連通する配線導出入部を設けた天板と、内部に機器類収納空間を有し前記天板の一端側を支持するサイドユニットとを具備してなるものであって、前記配線ダクトが、一端を前記サイドユニットに係り合わせたものであるとともに、そのサイドユニットが、内部に前記機器類収納空間に連通する共有空間を備えたものであり前記共有空間を、前記サイドユニットの起立壁に設けた上部配線挿通口を介して前記配線ダクトの内部空間に連通させるとともに、前記サイドユニットの底壁に設けた下部配線挿通口を介して外部空間に連通させている。
【００１２】
請求項６記載の発明に係るテーブルは、請求項５記載の構成のものにおいて、前記天板が、一方の使用端から他方の使用端に至る奥行方向の中央部分に前記配線導出入部を有する天板本体と、この天板本体の下面における奥行方向中央部分に装着された前記配線ダクトと、この配線ダクトが取り付けられた前記天板本体を下面側から支持する支持フレームとを備えたものであり、前記支持フレームの一端側を前記サイドユニットに支持させた状態で、前記配線ダクトの一端を前記サイドユニットの前記上部配線挿通口に直接接続しているものである。
【００１３】
請求項７記載の発明に係るテーブルは、請求項５又は６記載の構成のものにおいて、前記サイドユニットが、前記配線ダクトに対応する中央部分に前記共有空間を有し、この共有空間に前記機器類収納空間を隣設したものであり、前記機器類収納空間は中間配線挿通口を介して前記共有空間に連通させてあるものである。
【発明の効果】
【００１４】
本発明によれば、配線類が露出することによる、配線が足に引っ掛かるという問題や、来客会議室等の空間が乱雑なものになるといった問題を解消することができるテーブルを提供することができる。
【図面の簡単な説明】
【００１５】
【図１】本発明の一実施形態に係るテーブルを示す上方からの全体斜視図。
【図２】同実施形態に係るテーブルを示す下方からの全体斜視図。
【図３】同実施形態に係るテーブルを示す正面図。
【図４】同実施形態に係るテーブルを示す分解斜視図。
【図５】同実施形態に係るサイドユニットを示す分解斜視図。
【図６】本発明の他の実施形態に係るテーブルを示す上方からの全体斜視図。
【図７】本発明の他の実施形態に係るテーブルを示す上方からの全体斜視図。
【発明を実施するための形態】
【００１６】
以下本発明の第一実施形態を、図１〜図５を参照して説明する。
【００１７】
本実施形態は、来客会議室もしくは役員会議室クラスのハイグレード空間に配して使用されるテーブルＴに適用したものである。
【００１８】
このテーブルＴは、図１に示すように、ディスプレイＤを設置した建築壁面Ｗに一端を臨ませて配されたもので、図１〜図３に示すように、天板本体５の下面側に配線ダクト６を配してなりその天板本体５の一端５ａから他端５ｂに至る中間の部位に前記配線ダクト６の内部空間６ｓに連通する配線導出入部５２ｘを設けた天板１と、内部に機器類収納空間２ｓを有し前記天板１の一端側を支持するサイドユニット２と、前記天板１の他端側を支持する端部脚体３と、前記天板１の中間部を支持する中間脚体４とを具備してなる。図２、図４及び図５に示すように、前記配線ダクト６は、一端６ａを前記サイドユニット２の上の外壁２１に係り合わせたものであるとともに、そのサイドユニット２は、内部に前記機器類収納空間２ｓに連通する共有空間２ｔを備えたものであり、前記共有空間２ｔを、前記サイドユニット２の上の外壁２１に設けた上部配線挿通口２１ａを介して前記配線ダクト６の内部空間６ｓに連通させるとともに、前記サイドユニット２の底壁２３に設けた下部配線挿通口２３ａを介して外部空間に連通させている。
【００１９】
詳述すれば、前記天板１は、図１〜図３に示すように、一方の使用端１ｃから他方の使用端１ｄに至る奥行方向の中央部分に前記配線導出入部５２ｘを開設した天板本体５と、この天板本体５の下面における奥行方向中央部分に装着された前記配線ダクト６と、この配線ダクト６が取り付けられた前記天板本体５を下面側から支持する支持フレーム７とを備えたものであり、前記支持フレーム７の一端側を前記サイドユニット２に支持させた状態で、前記配線ダクト６の一端６ａを前記サイドユニット２の前記上部配線挿通口２１ａに直接接続している。
【００２０】
すなわち、この実施形態における前記天板本体５は、図１〜図３に示すように、一端及び他端にそれぞれ配された端部板状部材５１と、これら端部板状部材５１間に配された２枚の中間板状部材５２とを連設したものであり、前記両中間板状部材５２における奥行方向の中央部分に平面視矩形状をなす配線導出入部５２ｘが設けられている。各配線導出入部５２ｘは、天板本体５の上面から下面に貫通する貫通窓状のもので、その内部には、図示は省略するが、例えば、電源コンセントや、メス型ＵＳＢ端子といった端子を有するとともに、ＬＡＮケーブル、ＨＤＭＩ（登録商標）ケーブル、ＶＧＡケーブル、音声用ケーブルといった情報用ケーブルの一端部側の端子、あるいはノートパソコン用の電源ケーブルの端子を露出した状態で保持させるための設備が用意されている。（もしくは、機器が収納されている。）これら配線導出入部５２ｘは、図示しない蓋体により閉塞することもできるようになっている。
【００２１】
前記配線ダクト６は、図２、図４及び図５に示すように、底壁６１と、この底壁６１の両側縁から起立させた対をなす側壁６２と、これら両側壁６２の上端から外方に延出させた取付用の鍔６３とを備えたチャネル状のもので、前記鍔６３を前記天板本体５の下面に当接させた状態でこれら鍔６３に貫通させた図示しないネジによりその天板本体５に取り付けられており、その内部に、前記底壁６１及び前記両側壁６２により区成される内部空間６ｓが形成されている。なお、この実施形態の配線ダクト６は、前記中間脚体４の存在により一端側ダクト部分６Ａと他端側ダクト部分６Ｂとに分断されているが、前記中間脚体４の上端部には、前記一端側ダクト部分６Ａの内部空間６Ａｓと前記他端側ダクト部分６Ｂの内部空間６Ｂｓとを連通させる配線挿通窓４ａが設けられており、当該配線ダクト６の内部空間６ｓは一端から他端に至るまで連続している。この明細書中では、前記一端側ダクト部分６Ａの内部空間６Ａｓと前記他端側ダクト部分６Ｂの内部空間６Ｂｓとをまとめて配線ダクト６の内部空間６ｓと称している。この配線ダクト６の一端６ａは、前記サイドユニット２の外壁２１に係り合わせてあり、前記サイドユニット２の前記上部配線挿通口２１ａに直接接続している。
【００２２】
前記支持フレーム７は、図２及び図４に示すように、前記天板本体５の前記配線ダクト６の両側に位置する部位を支持する対をなす縦フレーム部材７１と、これらの縦フレーム部材７１に直交させて設けられた２本の端部横フレーム部材７２及び３本の中間横フレーム部材７３とを具備してなる。２本の端部横フレーム部材７２は、前記天板本体５の端部板状部材５１の下面を支持するためのもので、ブラケットを介して前記端部板状部材５１の下面にねじ止めされている。３本の中間横フレーム部材７３は、前記天板本体５の一端５ａ側の端部板状部材５１と中間板状部材５２との境界、中間板状部材５２同士の境界、及び中間板状部材５２と他端５ｂ側の端部板状部材５１との境界に設けられたもので、それぞれブラケットを介して前記端部板状部材５１又は中間板状部材５２の下面にねじ止めされている。なお、前記配線ダクト６には、前記横フレーム部材７２、７３との干渉を避けるために切欠部６ｋが設けられている。
【００２３】
前記サイドユニット２は、図１、図２、図４及び図５に示すように、前記配線ダクト６に対応する中央部分に前記共有空間２ｔを有し、この共有空間２ｔの両側に隔壁２４を介して前記機器類収納空間２ｓをそれぞれ隣設したものであり、前記機器類収納空間２ｓは中間配線挿通口２４ａを介して前記共有空間２ｔに連通させてある。前記共有空間２ｔの下肢空間１ｓ側は、上の外壁２１と下の外壁２２とによって閉塞されており、上の外壁２１の上縁部に前記上部配線挿通口２１ａが設けられている。また、このサイドユニット２の底壁２３における前記共有空間２ｔに対応する部位には、この共有空間２ｔを外部に連通させるための下部配線挿通口２３ａが形成されている。一方、前記機器類収納空間２ｓは、前記下肢空間１ｓ側に開放されており、その開放端に、観音扉式に開閉する外側の扉２５と内側の扉２６とが配されており、これらの扉２５、２６により前記機器類収納空間２ｓの開放端を開放可能に閉塞している。前記外側の扉２５には、多数の貫通孔が設けられている。すなわち、前記外側の扉２５の主要部は、いわゆるパンチングメタル等と称される孔の開いた板金素材により作られている。なお、このサイドユニット２の上面における前記天板１により隠される中間領域には、前記支持フレーム７の一端部を取り付けるための取付部２ａが設けられており、また、前記天板１により覆われないサイドユニット２の上面両端部には、リモートコントローラや会議ツール等の小物を収容するための蓋付き凹部２ｂが設けられている。加えて、このサイドユニット２の上面を閉塞する上面板２７には、前記共有空間２ｔに対応する中央部に、排熱を行うべくスリット２７ａを設けてある。すなわち、このスリット２７ａは、前記共有空間２ｔを外部空間に連通させるべく前記上面板２７に貫設されている。また、このスリット２７ａを介して共有空間２ｔと外部空間との間の配線を行うこともできる。前記なお、前記底壁２３の下面の四隅部には、床に接地するアジャスタ２８が設けられている。また、２０は、前記機器類収納空間２ｓ及び前記共有空間２ｔの内部と外部とを区成するための周壁である。
【００２４】
前記端部脚体３は、図１、図２及び図４に示すように、前記支持フレーム７の他端部、換言すれば他端側の前記端部横フレーム部材７２を下側から支持すべく設けられたもので、壁状脚部３１と、この壁状脚部３１の下端部両側に設けられた一対の脚羽根３２とを備えている。前記壁状脚部３１の下面及び前記脚羽根３２の先端部下面には、それぞれ床Ｆに接地するアジャスタ３３が設けられている。
【００２５】
前記中間脚体４は、図１、図２及び図４に示すように、前記支持フレーム７の中央部、換言すれば中央の前記中間横フレーム部材７３を下側から支持すべく設けられたもので、壁状脚部４１のみからなる。この壁状脚部４１の下面にも、床に接地するアジャスタ４３が設けられている。
【００２６】
以上説明したテーブルＴは、図１及び図３に示すように、その一端と建築壁面Ｗとの間に一定の間隔をあけて配置されており、前記建築壁面Ｗにテレビ会議やプレゼンテーションを行うためのディスプレイＤが取り付けられている。この実施形態では、前記ディスプレイＤに接続された配線類ｃ１は、建築壁面Ｗに埋設された状態で床Ｆの配線空間Ｆ１に導かれ、前記サイドユニット２に対応する部位において、この配線空間Ｆ１から外部空間に導出され、この外部空間から前記下部配線挿通口２３ａを通してサイドユニット２の共有空間２ｔに導かれている。また、図示しない電源に接続された電力系の配線類ｃ２は、例えば前記床Ｆの配線空間Ｆ１から前記サイドユニット２の共有空間２ｔ内に導かれ、この共有空間２ｔ内を通して前記配線ダクト６内に案内されている。なお、前記電力系の配線類ｃ２を、前記床Ｆの配線空間Ｆ１から前記端部脚体３内や前記中間脚体４内に導き、前記端部脚体３内又は中間脚体４内を通して前記配線ダクト６内に案内できるようにもなっている。
【００２７】
以上に述べたテーブルＴの一使用形態を以下に説明する。
【００２８】
一次電源（ＡＣ１００Ｖの電源）に接続された電源コードｃ１は、図３に示すように、前記サイドユニット２の共有空間２ｔを経て配線ダクト６内に導かれ、この配線ダクト６内に収容した図示しない電源コンセントに接続されている。また、前記サイドユニット２の機器類収納空間２ｓには、テレビ会議システムを構成するメイン機器や、ＡＶシステムを構成するアンプやブルーレイディスク再生機等のＡＶ機器や、これら機器類に接続されるスピーカー本体等が収納されている。また、天板１上には、各使用者が使用する図示しないノートＰＣや、テレビ会議に使用する図示しないマイクロフォン等が設置される。そして、前記各ノートＰＣや、マイクロフォンに接続された電源ケーブル（ＡＣ１００Ｖ、ＤＣ給電）や通信ケーブル（ＨＤＭＩ（登録商標）、ＵＳＢ、有線ＬＡＮ等）は、最も近い配線導出入部５２ｘを通して配線ダクト６内に導かれ、この配線ダクト６内に配されたコンセントに接続されたり、この配線ダクト６に案内されて前記サイドユニット２の共有空間２ｔ内に導かれている。例えば、マイクロフォンに接続された通信ケーブルは、配線ダクト６を通して共有空間２ｔに導かれ、この共有空間２ｔから前記中間配線挿通口２４ａを通して前記機器類収納空間２ｓに案内され、その機器収納空間内に収納されたテレビ会議システムを構成するメイン機器に接続されている。また、例えばノートＰＣに接続された、映像信号及び音声信号を伝えるためのＨＤＭＩ（登録商標）ケーブル等の通信ケーブルｃ２は、最も近い配線導出入部５２ｘを通して配線ダクト６内に導かれ、この配線ダクト６に案内されて前記サイドユニット２の共有空間２ｔ内に導かれている。そして、この共有空間２ｔ内の通信ケーブルｃ２は、図３に示すように、下部配線挿通口２３ａを通して床下の配線空間Ｆ１に導かれ、前記配線空間Ｆ１及び建築壁体Ｗ内に形成された配線通路を通してディスプレイＤに接続されている。なお、前記ＨＤＭＩ（登録商標）等の通信ケーブルｃ２は、配線ダクト６内や共有空間２ｔ内に配される図示しないコネクタを介して分断可能に連続させてある。さらに、例えば前記サイドユニット２の機器類収納空間２ｓに収納された前記テレビ会議システムを構成するメイン機器やＡＶ機器等に接続された通信ケーブルｃ２は、中間配線挿通口２４ａを通して前記共有空間２ｔに導かれ、下部配線挿通口２３ａを通して床下の配線空間Ｆ１に導かれ、前記配線空間Ｆ１及び建築壁体Ｗ内に形成された配線通路を通してディスプレイＤやカメラＣに接続されている。
【００２９】
このような構成のテーブルＴであれば、天板本体５の下面側に配した配線ダクト６の一端を、前記サイドユニット２の外壁２１に係り合わせているので、前記床Ｆの配線空間Ｆ１からの配線類ｃ１、ｃ２を、前記サイドユニット２の内部、より具体的には前記共有空間２ｔを経て前記配線ダクト６内に導くことができる。そのため、配線ダクト６とサイドユニット２との間の配線類ｃ１、ｃ２が露出することによって引き起こされる問題、すなわち、配線が足に引っ掛かるという問題や、来客会議室等の空間が乱雑なものになるという問題等を解消することができる。
【００３０】
また、天板１の一端側を支持するサイドユニット２に床下への大容量配線を容易にした共有空間２ｔを設けている上に、天板本体５の下に配された配線ダクト６の一端を前記共有空間２ｔに連通させているので、配線類ｃ１、ｃ２を外部に露出させることなく共有空間２ｔに集中させ、その共有空間２ｔを介して配線類ｃ１、ｃ２を床下空間へ導くことができる。しかも、天板１にはその中間領域に前記配線ダクト６に連通する配線導出入部５２ｘを設けているため、天板１上に露出する配線類ｃ１、ｃ２を必要最小限の長さに収めることができる。従って、この点からも、乱雑な配線の露出を有効に抑制することができる。
【００３１】
さらに、前記共有空間２ｔを、前記サイドユニット２の底壁２３に設けた下部配線挿通口２３ａを介して外部空間、より具体的には床下の配線空間Ｆ１に連通させているので、配線が床Ｆに散乱することを抑制できる。換言すれば、この点からも、配線が足に引っ掛かるという問題や、来客会議室等の空間が乱雑なものになるという問題等を解消することができる。
【００３２】
加えて、前記天板１が、前記天板本体５と、この天板本体５の下面における奥行方向中央部分に装着された前記配線ダクト６と、この配線ダクト６が取り付けられた前記天板本体５を下面側から支持する支持フレーム７とを備えたものであり、前記支持フレーム７の一端側を前記サイドユニット２に支持させるようにしているので、種々の形状や寸法等を有するサイドユニット２を交換して使用する態様に容易に対応することができる。また、前記配線ダクト６及び前記支持フレーム７は共通のものにしつつ、種々の形状や寸法を有する天板本体５を採用し、さらに複数の天板本体５を交換して使用する態様にも容易に対応することもできる。
【００３３】
なお、本発明は以上に述べた実施形態に限らない。
【００３４】
例えば、図６に示すようなサイドユニット２’を備えたテーブルＴ２が考えられる。このサイドユニット２’は、前述したサイドユニットに準じた構成をなすユニット本体２Ａと、このユニット本体２Ａの上部に設けられ、前記天板１の一端部を上から覆う上棚部２Ｂとを備えたものである。このような構成のものであれば、前記上棚部２Ｂにテレビ会議システム用のカメラやディスプレイを設置して使用することもできる。前記実施形態と同一又は準じた部分には同一の符号を付して説明を省略する。
【００３５】
加えて、図７に示すようなテーブルＴ３が考えられる。このテーブルＴ３は、１枚の板状部材からなる天板本体５’と、この天板本体５’の下面側に配された図示しない配線ダクトとを少なくとも有し前記天板本体５’の中央部に前記配線ダクトの内部空間に連通する配線導出入部５２ｘが設けられた天板１’と、前述したサイドユニットに準じた構成をなすユニット本体２Ａと、このユニット本体２Ａの後方及び側方に配され該ユニット本体２Ａの後半部、及びその上方の空間の側方及び後方を覆うパネル２Ｂと、前記天板１の他端側を支持する端部脚体３とを具備してなるものである。このような構成のものであっても、床下からの配線を前記ユニット本体２Ａ内部の共有空間２ｔを経て前記配線ダクトに導くことにより天板１’下方や床上の配線が乱雑になることを抑制することができるとともに、（例えば上面板２７に設けた排熱用のスリット２７ａから配線を上方に引き出し、）前記ユニット本体２Ａの上方にテレビ会議システム用のカメラやディスプレイを設置して使用することもできる。前記実施形態と同一又は準じた部分には同一の符号を付して説明を省略する。
【００３６】
また、前記実施形態では、配線導出入部が天板本体の上面から下面に貫通する貫通窓状をなし、前記配線ダクトの内部空間に連通しているものであったが、必ずしもこのような構成に限定されるようなものではなく、例えば、天板本体の使用端下面における各使用者に対応し得る部位にそれぞれ開口させたものであってもよい。また、いずれの場合でも、配線導出入部は、配線を通過するような孔状のものに限らず、配線に接続されたコンセントを外部に表出させたものであってもよい。
【００３７】
さらに、配線ダクトの構成も、前記実施形態のものに限られず、配線導出入部の形や位置に対応させて種々変形が可能である。すなわち、前記実施形態では、配線ダクトの一端をサイドユニットの外壁に設けた上部配線挿通口に直接接続した場合について説明したが、例えば、配線ダクトの一端を微小な隙間を介して前記上部配線挿通口に臨ませるようにしてもよい。この微小な隙間とは、配線ダクトから前記上部配線挿通口に向かう配線が外部から目立たない程度の隙間を意味している。あるいは、前記配線ダクトを、一端が前記サイドユニットの配線挿通口に隙間を介して臨むように取り付けられるダクト本体と、このダクト本体とは別体に構成され前記サイドユニットと前記ダクト本体との間の隙間を塞ぐ隙間閉塞カバーとを備えたものにしてもよい。ここで、前記ダクト本体及び隙間閉塞カバーの取り付け順序は、いずれが先であってもかまわない。
【００３８】
また、前記サイドユニットの構成も、前記実施形態のものに限られず、種々変形が可能である。但し、前記実施形態のもののように、前記配線ダクトに対応する中央部分に前記共有空間を有し、この共有空間に前記機器類収納空間を隣設したものであり、前記機器類収納空間は中間配線挿通口を介して前記共有空間に連通させてある構成のものであれば、配線ダクト、共有空間及び機器類収納空間の間の配線を効率よく行うことができる。
【００３９】
加えて、サイドユニットにおける機器類収納空間の開放端を閉塞する扉も、前記実施形態のものに限られない。但し、前記実施形態のもののように、多数の貫通孔を有するものを採用すれば、通気性を確保し機器類収納空間内に収納した機器類の排熱ないし冷却を効率的に行うことができるとともに、機器類収納空間内にスピーカーを配置することができる上に、機器類収納空間内に収納した機器類の動作状態を示すパイロットランプ等が外部から視認可能となる。
【００４０】
そして、天板の構成も、上述した実施形態のような、天板本体と、この天板本体の下面における奥行方向中央部分に装着された前記配線ダクトと、この配線ダクトが取り付けられた前記天板本体を下面側から支持する支持フレームとを備えたものに限らず、例えば、天板本体と、この天板本体の下面に装着された配線ダクトとのみを備えたものとしてもよい。この場合、天板本体の一端側を前記サイドユニットに支持させるとよい。
【００４１】
その他、本発明の趣旨を損ねない範囲で種々に変更してよい。
【符号の説明】
【００４２】
Ｔ…テーブル
１…天板
２…サイドユニット
２ｓ…機器類収納空間
２ｔ…共有空間
２１、２２…サイドユニットの外壁
２３…サイドユニットの底壁
２１ａ…上部配線挿通口
２３ａ…下部配線挿通口
５…天板本体
５ａ…天板本体の一端
５ｂ…天板本体の他端
５２ｘ…配線導出入部
６…配線ダクト
６ａ…配線ダクトの一端
６ｓ…配線ダクトの内部空間
【図１】
2019068951.tif 000003
【図２】
2019068951.tif 000004
【図３】
2019068951.tif 000005
【図４】
2019068951.tif 000006
【図５】
2019068951.tif 000007
【図６】
2019068951.tif 000008
【図７】
2019068951.tif 000009